(57)【要約】【課題】サーチエンジンによる検索対象のヒット率を向上させることができる情報検索システムのファイル構造を提供する。【解決手段】ウェブページを表示するためのファイルが格納されたウェブサーバを備え、絞込条件が一覧表示された絞込ページが複数集合してなる絞込ページ群と、上記絞込ページに一覧表示された絞込条件にリンクして、上記絞込条件に対する選択入力に基づいて端末装置に表示され、上記選択入力された絞込条件に対する検索対象の一覧が表示された検索対象一覧ページが複数集合してなる検索対象一覧ページ群とによって絞込ファイル群が構成され、絞込条件のカテゴリが異なる複数系列の絞込ファイル群における検索対象一覧ページに表示された検索対象にリンクし、上記検索対象に対する選択入力に基づいて端末装置に表示され、検索対象の詳細情報が表示された詳細情報ページが複数集合してなる詳細情報ページ群を有している。【選択図】図１
2007233883.tif 000002
【特許請求の範囲】
【請求項１】
ウェブページを表示するためのファイルが格納されたウェブページ格納部を有するウェブサーバを備え、上記ウェブサーバと通信回線を介して接続された端末装置に上記ウェブページを表示して検索対象を絞込検索するための情報検索システムのファイル構造であって、
絞込条件が一覧表示された絞込ページが複数集合してなる絞込ページ群と、
上記絞込ページに一覧表示された絞込条件にリンクして、上記絞込条件に対する選択入力に基づいて端末装置に表示され、上記選択入力された絞込条件に対する検索対象の一覧が表示された検索対象一覧ページが複数集合してなる検索対象一覧ページ群とによって絞込ファイル群が構成され、
上記絞込ファイル群は、絞込条件のカテゴリが異なる複数系列を備えており、
上記複数系列の絞込ファイル群における検索対象一覧ページに表示された検索対象にリンクして、上記検索対象に対する選択入力に基づいて端末装置に表示され、検索対象の詳細情報が表示された詳細情報ページが複数集合してなる詳細情報ページ群を有していることを特徴とする情報検索システムのファイル構造。
【請求項２】
上記詳細情報ページは、上記複数系列の絞込ファイル群における検索対象一覧ページに表示された検索対象にリンクしている請求項１記載の情報検索システムのファイル構造。
【請求項３】
上記詳細情報ページには、上記複数系列の絞込ファイル群における各検索対象一覧ページを表示させるためのリンクが設けられている請求項１または２記載の情報検索システムのファイル構造。
【請求項４】
上記絞込ページ群は、
上位絞込条件が一覧表示された上位絞込ページが複数集合してなる上位絞込ページ群と、
上記上位絞込ページに一覧表示された上位絞込条件にリンクして、上記上位絞込条件に対する選択入力に基づいて端末装置に表示され、上記選択入力された上位絞込条件に対する下位絞込条件が一覧表示された下位絞込ページが複数集合してなる下位絞込ページ群とを少なくとも含んで複数段階の絞込みを行い得るように構成され、
上記検索対象一覧ページは、最も下位の下位絞込ページに対してリンクしている請求項１〜３のいずれか一項に記載の情報検索システムのファイル構造。
【請求項５】
ウェブページを表示するためのファイルが格納されたウェブページ格納部と、上記ウェブページ格納部に格納するウェブページとしてのファイルを生成するウェブページ生成部と、上記ウェブページとしてのファイルを生成するためのデータが格納されたデータベースとを備え、上記ウェブページ格納部に格納されたウェブページを、通信回線を介して接続された端末装置に表示して検索対象を絞込検索するための情報検索システムのファイル構造を構築する方法であって、
上記ウェブページは、
絞込条件が一覧表示された絞込ページが複数集合してなる絞込ページ群と、
上記絞込ページに一覧表示された絞込条件にリンクして、上記絞込条件に対する選択入力に基づいて端末装置に表示され、上記選択入力された絞込条件に対する検索対象の一覧が表示された検索対象一覧ページが複数集合してなる検索対象一覧ページ群とによって絞込ファイル群が構成され、
上記複数系列の絞込ファイル群における検索対象一覧ページに表示された検索対象にリンクして、上記検索対象に対する選択入力に基づいて端末装置に表示され、検索対象の詳細情報が表示された詳細情報ページが複数集合してなる詳細情報ページ群を有しており、
上記ウェブページ生成部は、
絞込ページ群を構成する各絞込ページに対応する各ファイルを、絞込条件コードをデータベースから読み出して、一覧表示する各絞込条件が当該絞込条件の絞込条件コードをファイル名とするファイルにリンクするよう生成し、
上記検索対象一覧ページ群を構成する各検索対象一覧ページに対応するファイルを、絞込条件コードおよび検索対象コードをデータベースから読み出して、上記絞込ページに一覧表示された絞込条件のうちリンクする絞込条件に対応する絞込条件コードをファイル名とするとともに、一覧表示する検索対象が当該検索対象の検索対象コードをファイル名とするファイルにリンクするよう生成し、
上記詳細情報ページ群を構成する詳細情報ページに対応するファイルを、検索対象コードをデータベースから読み出して、上記検索対象一覧ページに表示された検索対象のうちリンクする検索対象に対応する検索対象コードをファイル名とするよう生成することを特徴とする情報検索システムのファイル構造の構築方法。
【請求項６】
上記絞込ファイル群は、絞込条件のカテゴリが異なる複数系列を備えており、
上記詳細情報ページには、上記複数系列の絞込ファイル群における各検索対象一覧ページを表示させるためのリンクが設けられ、
上記ウェブページ生成部は、
上記詳細情報ページ群を構成する詳細情報ページに対応するファイルを、絞込条件コードをデータベースから読み出して、上記複数系列の絞込ファイル群における各検索対象一覧ページを表示させるための絞込条件コードをファイル名とするファイルへのリンクを設けるよう生成する請求項６記載の情報検索システムのファイル構造の構築方法。
【発明の詳細な説明】
【技術分野】
【０００１】
本発明は、検索精度を容易に向上させることができるとともに、サーチエンジンによる検索対象のヒット率を向上させることができる情報検索システムのファイル構造およびその構築方法に関する。
【背景技術】
【０００２】
従来から、インターネットにおける検索システムについては、検索語に基づいて抽出した検索結果からアクティブ検索ページを生成することが行われている（例えば、下記の特許文献１）。
【０００３】
また、インターネットにおけるホテル検索システム等については、検索対象であるホテルを、地域や沿線等の検索条件をもとに検索し、所望のホテルを選んで予約を行うことが行われていた（例えば、下記の特許文献２）。
【特許文献１】特開２０００−２０７４２１号公報
【特許文献２】特開２００１−２５０００６号公報
【発明の開示】
【発明が解決しようとする課題】
【０００４】
ところが、従来のシステムでは、検索語に基づいて抽出した検索結果からアクティブサーバページは動的ファイルであるために、サーチエンジンのようなウェブ検索システムの対象になりにくい。このため、商品販売システムやホテル予約システムのように、商品やホテルのような商材そのものを検索対象としたシステムでは、サーチエンジンによる対象のヒットが期待できず、ＳＥＯ（Search Engine Optimization）上有効ではなかった。
【０００５】
また、従来のホテル検索システムでは、都道府県で絞込み、さらに地域で絞込み、適当な件数に絞り込んだ段階で、ホテルの一覧表示を行って、ホテルの一覧から所望のホテルの選択入力を行うことにより、そのホテルの詳細情報を表示させることが行われる。
【０００６】
ところが、従来のホテル検索システムでは、絞込条件を入力欄に入力して行われるが、ユーザが適切な絞込条件を設定する必要があるうえ、設定した絞込み条件が適切でなければ絞込みの精度が低下してしまう問題がある。また、一旦絞込条件を入力して検索を実行したあとに再度検索を行う場合には、前に入力した絞込み条件と同じ絞り込み条件であっても、再び入力しなおさなければならない不便があった。
【０００７】
さらに、従来のホテル検索システムでは、絞り込んだ上で詳細情報を表示したホテルが気に入らないとか、他のホテルの情報をもっと見たいという場合には、ブラウザの「戻る」ボタンで戻って再度一覧表示を表示してホテルの選択をやりなおしたり、あるいは検索画面まで戻って再度検索をやりなおしたりする必要がある。そして、気に入ったホテルが見つかるまで画面を戻して再検索する作業を繰り返すことが行われる。
【０００８】
しかしながら、いちいち画面を戻して作業を繰り返し行うのは、ユーザーにとって極めて煩雑な作業であるうえ、同じようなことを複数回繰り返すのは、実際以上に面倒に感じられる。このため、画面を戻して再検索を行うことなく、ホテル等の検索対象をウェブ検索できるシステムの開発が待たれていた。
【０００９】
一方、例えばホテル予約システムにおいて、検索対象であるホテルと検索条件である地域とをＨＴＭＬ等の静的ファイルに固定した状態でウェブサーバに格納し、ＨＴＭＬ等の静的ファイルを用い、検索条件である地域等の選択入力により検索対象であるホテルを抽出するためには、検索対象であるホテルと検索条件である地域とをＨＴＭＬファイル上において直接関連付けた状態とにしておく必要がある。
【００１０】
しかしながら、上記のようなＨＴＭＬファイルは、手書きのプログラミングで作成する必要があり、例えば、全国規模のホテル検索システムになると、検索対象であるホテルも膨大な数であり、手書きのプログラミングは人海戦術的な作業で行われることから、システム製作コストが極めて高価なものとなっている。
【００１１】
また、検索精度を向上させようとすれば、検索対象であるホテルと関連付ける検索条件の種類を増やす必要がある。例えば、ホテルが所在する「地域」だけでなく、最寄の「駅」「観光地」「空港」「イベント会場」等、色々な種類の検索条件を検索対象であるホテルに関連付け、色々な検索対象で絞込みができるようにしておけば、検索精度も向上するし、ユーザーの使い勝手も極めてよくなる。
【００１２】
ところが、上述したように、検索対象と検索条件を直接関連付けたＨＴＭＬファイルを手書きのプログラミングで作成していることから、検索対象の数や検索条件の種類を増やすと、それらを関連付けたＨＴＭＬファイルの作成に、さらに人海戦術的な膨大な作業が必要となり、システム製作コストも膨大なものとなるので、現実にはできていないのが実情である。
【００１３】
本発明は、このような事情に鑑みなされたもので、サーチエンジンによる検索対象のヒット率を向上させることができる情報検索システムのファイル構造およびその構築方法を提供することを目的とする。
【課題を解決するための手段】
【００１４】
上記の目的を達成するために、本発明の情報検索システムのファイル構造は、ウェブページを表示するためのファイルが格納されたウェブページ格納部を有するウェブサーバを備え、上記ウェブサーバと通信回線を介して接続された端末装置に上記ウェブページを表示して検索対象を絞込検索するための情報検索システムのファイル構造であって、
絞込条件が一覧表示された絞込ページが複数集合してなる絞込ページ群と、
上記絞込ページに一覧表示された絞込条件にリンクして、上記絞込条件に対する選択入力に基づいて端末装置に表示され、上記選択入力された絞込条件に対する検索対象の一覧が表示された検索対象一覧ページが複数集合してなる検索対象一覧ページ群とによって絞込ファイル群が構成され、
上記絞込ファイル群は、絞込条件のカテゴリが異なる複数系列を備えており、
上記複数系列の絞込ファイル群における検索対象一覧ページに表示された検索対象にリンクして、上記検索対象に対する選択入力に基づいて端末装置に表示され、検索対象の詳細情報が表示された詳細情報ページが複数集合してなる詳細情報ページ群を有していることを要旨とする。
【００１５】
また、上記の目的を達成するために、本発明の情報検索システムのファイル構造の構築方法は、ウェブページを表示するためのファイルが格納されたウェブページ格納部と、上記ウェブページ格納部に格納するウェブページとしてのファイルを生成するウェブページ生成部と、上記ウェブページとしてのファイルを生成するためのデータが格納されたデータベースとを備え、上記ウェブページ格納部に格納されたウェブページを、通信回線を介して接続された端末装置に表示して検索対象を絞込検索するための情報検索システムのファイル構造を構築する方法であって、
上記ウェブページは、
絞込条件が一覧表示された絞込ページが複数集合してなる絞込ページ群と、
上記絞込ページに一覧表示された絞込条件にリンクして、上記絞込条件に対する選択入力に基づいて端末装置に表示され、上記選択入力された絞込条件に対する検索対象の一覧が表示された検索対象一覧ページが複数集合してなる検索対象一覧ページ群とによって絞込ファイル群が構成され、
上記複数系列の絞込ファイル群における検索対象一覧ページに表示された検索対象にリンクして、上記検索対象に対する選択入力に基づいて端末装置に表示され、検索対象の詳細情報が表示された詳細情報ページが複数集合してなる詳細情報ページ群を有しており、
上記ウェブページ生成部は、
絞込ページ群を構成する各絞込ページに対応する各ファイルを、絞込条件コードをデータベースから読み出して、一覧表示する各絞込条件が当該絞込条件の絞込条件コードをファイル名とするファイルにリンクするよう生成し、
上記検索対象一覧ページ群を構成する各検索対象一覧ページに対応するファイルを、絞込条件コードおよび検索対象コードをデータベースから読み出して、上記絞込ページに一覧表示された絞込条件のうちリンクする絞込条件に対応する絞込条件コードをファイル名とするとともに、一覧表示する検索対象が当該検索対象の検索対象コードをファイル名とするファイルにリンクするよう生成し、
上記詳細情報ページ群を構成する詳細情報ページに対応するファイルを、検索対象コードをデータベースから読み出して、上記検索対象一覧ページに表示された検索対象のうちリンクする検索対象に対応する検索対象コードをファイル名とするよう生成することを要旨とする。
【発明の効果】
【００１６】
すなわち、本発明の情報検索システムのファイル構造によれば、絞込条件のカテゴリが異なる複数系列の絞込ファイル群で検索対象を絞り込むことから、検索対象の詳細情報ページだけでなく、検索対象に関連する非常に多くの絞込ページや検索対象一覧ページのファイルが存在することになるので、これら多数のファイルがすべてサーチエンジンによる対象となることから、サーチエンジンでのヒット率が大幅に向上し、ＳＥＯ（Search Engine Optimization）上極めて有利になる。
【００１７】
本発明の情報検索システムのファイル構造において、上記詳細情報ページは、上記複数系列の絞込ファイル群における検索対象一覧ページに表示された検索対象にリンクしている場合には、
カテゴリが異なる複数系列の絞込により検索対象を絞り込むことができることから、多用な絞込を提供することができる。
【００１８】
本発明の情報検索システムのファイル構造において、上記詳細情報ページには、上記複数系列の絞込ファイル群における各検索対象一覧ページを表示させるためのリンクが設けられている場合には、
詳細情報表示ぺージと検索対象一覧ページを行ったり来たりしながら、所望の検索対象を探すことができ、従来のように、検索画面まで戻って再度検索をやりなおしたりする必要がなくなり、自由にネットサーフィンを行う感覚で検索対象を探すことができ、ストレスや煩雑をあまり感じない検索を可能とする。
【００１９】
本発明の情報検索システムのファイル構造において、上記絞込ページ群は、
上位絞込条件が一覧表示された上位絞込ページが複数集合してなる上位絞込ページ群と、
上記上位絞込ページに一覧表示された上位絞込条件にリンクして、上記上位絞込条件に対する選択入力に基づいて端末装置に表示され、上記選択入力された上位絞込条件に対する下位絞込条件が一覧表示された下位絞込ページが複数集合してなる下位絞込ページ群とを少なくとも含んで複数段階の絞込みを行い得るように構成され、
上記検索対象一覧ページは、最も下位の下位絞込ページに対してリンクしている場合には、
上位絞込ページ群と下位絞込ページ群による複数段階の絞込みを実現し、精度の高い絞込みが行える。
【００２０】
また、本発明の情報検索システムのファイル構造の構築方法によれば、ファイル名を絞込条件コードとすることにより、リンク先ファイルに対するリンクを行うため、絞込ページ群における絞込ページ、検索対象一覧ページ、詳細情報ページのリンクを整合させやすく、リンクを設けたファイルの構築を容易かつ確実に行うことができる。
【００２１】
本発明の情報検索システムのファイル構造の構築方法において、上記絞込ファイル群は、絞込条件のカテゴリが異なる複数系列を備えており、
上記詳細情報ページには、上記複数系列の絞込ファイル群における各検索対象一覧ページを表示させるためのリンクが設けられ、
上記ウェブページ生成部は、
上記詳細情報ページ群を構成する詳細情報ページに対応するファイルを、絞込条件コードをデータベースから読み出して、上記複数系列の絞込ファイル群における各検索対象一覧ページを表示させるための絞込条件コードをファイル名とするファイルへのリンクを設けて生成する場合には、
詳細情報表示ぺージと検索対象一覧ページを行ったり来たりしながら、所望の検索対象を探すことができ、従来のように、検索画面まで戻って再度検索をやりなおしたりする必要がなくなり、自由にネットサーフィンを行う感覚で検索対象を探すことができ、ストレスや煩雑をあまり感じない検索を可能とする。また、リンクを整合させやすく、リンクを設けたファイルの構築を容易かつ確実に行うことができる。
【発明を実施するための最良の形態】
【００２２】
以下、本発明を実施するための最良の形態について説明する。以下の説明では、本発明の情報検索システムをホテルを予約等する場合のホテル検索システムに適用した例を示す。
【００２３】
図１は、本発明の一実施の形態の情報検索システムを含むネットワーク構成を示す図である。１は本発明が適用される情報検索プログラムを実行して情報検索方法を実現し、情報検索システムとして機能するサーバ装置１である。
【００２４】
このシステムは、ウェブページを表示するためのファイルが格納されたウェブページ格納部１８を有するウェブサーバ３を備え、上記ウェブサーバ３と通信回線を介して接続された端末装置５に上記ウェブページを表示して検索対象を絞込検索するための情報検索システムとして機能する。
【００２５】
上記サーバ装置１は、インターネット２に接続され、同じくインターネット２に接続された端末装置５においてウェブページを閲覧可能とするウェブサーバ３と、上記ウェブサーバ３におけるウェブページを構築するためのデータを提供するためのデータベースサーバ４とを備えて構成されている。
【００２６】
上記サーバ装置１を構成するウェブサーバ３およびデータベースサーバ４は、それぞれ通信インターフェースや大容量データ記憶装置などを備えたシステムであり、中央処理装置がハードディスク装置等の外部記憶装置に記録されたプログラムを読み出し、そのプログラムに従って処理を実行することにより後に述べるような種々の機能を実現する。
【００２７】
上記サーバ装置１は、情報通信ネットワーク（本実施形態ではインターネット２）に接続されている。このインターネット２には、ユーザーが使用する端末装置５が接続されている。上記各端末装置５は、例えばパソコン等のコンピュータ装置である。
【００２８】
上記データベースサーバ４は、本発明の情報検索システムが検索対象とする種々のデータが記録された複数のテーブルが格納され、各テーブルをデータベース検索することにより、必要なデータの抽出を行って、ウェブサーバ３に対して供給するようになっている。
【００２９】
上記ウェブサーバ３は、インターネット２を介してアクセスしてきた各端末装置５と、例えばＨＴＴＰ（HyperText Transfer Protocol）等のプロトコルに従ってデータ通信を行うことでＷＥＢ配信サーバとして機能する。すなわち、ウェブサーバ３は、各端末装置５からの要求に応じて、ＨＴＭＬ（HyperText Markup Language）等のデジタル文書記述言語により記述された文書や画像を含むデータであるウェブページを当該端末装置５へ向けて出力する。
【００３０】
上記ウェブページは、外部記憶装置に記憶されたテンプレートとなるデータに対して、データベースサーバ４から供給されたデータをはめ込んでその画面が構成される。
【００３１】
上記ウェブサーバ３には、固有のネットワークアドレス（ＵＲＬ）が与えられている。ユーザーは、それぞれの端末装置５でこのＵＲＬを指定することにより、ウェブサーバ３へアクセスすることができ、上記ＨＴＭＬ（HyperText Markup Language）等のデジタル文書記述言語により記述された文書や画像を含むデータをウェブページとして閲覧をしうるようになっている。また、当該ウェブページにおいて、必要に応じて文書・画像等のデータや選択入力操作を入力してウェブサーバ３に対して送信し、意思決定情報をウェブサーバ３に対して出力するようになっている。これらの動作の詳細については後述する。
【００３２】
上記データベースサーバ４は、検索対象であるホテルに関する詳細情報が記録された検索対象マスタテーブルとしてのホテル詳細マスタ１０と、上記検索対象であるホテルと関連付けるための統一的な中間抽出条件である駅に関する情報が記録された中間抽出条件マスタテーブルとしての駅マスタ１１と、上記中間抽出条件である駅に関連付けるための個別抽出条件であるランドマークに関する情報が記録された個別抽出条件マスタテーブルとしてのランドマークマスタ１２とを備えている。
【００３３】
また、上記データベースサーバ４は、検索対象である各ホテルごとに複数の中間抽出条件である駅を関連付けた第１中間テーブル１３と、中間抽出条件である各駅ごとに複数の個別抽出条件であるランドマークを関連付けた第２中間テーブル１４とを備えている。
【００３４】
さらに、上記データベースサーバ４は、地方に関する情報が記録された地方マスタ１５、都道府県に関する情報が記録された都道府県マスタ２５、地域に関する情報が記録された地域マスタ２４、ホテルの名称等の情報が記録されたホテル名称マスタ２３、駅と路線に関する情報が記録された駅・路線マスタ２２、ランドマーク区分に関する情報が記録されたランドマーク区分マスタ２１がそれぞれ格納されている。
【００３５】
そして、上記データベースサーバ４は、各マスタテーブルから必要な情報をデータベース検索により抽出するデータベース検索手段９をさらに備えている。
【００３６】
上記ウェブサーバ３は、検索対象であるホテルをウェブ上でウェブ検索するためのウェブページが格納されるウェブページ格納部１８と、上記ウェブページを所定のテンプレートファイルにデータを割り当てることにより自動的に生成するウェブページ生成手段１６と、上記ウェブページ生成手段１６がウェブページを生成する際のテンプレートが格納されるテンプレート格納部１７とを備えている。
【００３７】
上記ウェブページ格納部１８には、ホテルのウェブ検索や予約を行うためのウェブサイトのトップページをはじめ、あらかじめ設けられた既設ぺージ１９と、上記ウェブページ生成手段１６で生成された新設ページ２０とが格納されている。これらの既設ページ１９や新設ページ２０は、ＨＴＭＬ等のデジタル文書記述言語により記述された文書や画像を含む静的ファイルから構成されている。
【００３８】
そして、上記ウェブページ生成手段１６は、テンプレート格納部１７に格納されたテンプレートファイルを読み出して、上記データベース検索手段９でデータベース検索されたデータを上記読み出したテンプレートファイルに割り当てることにより、ウェブページを自動的に生成する。
【００３９】
つぎに、各ウェブページの詳細について詳しく説明する。
【００４０】
図２は、上記サーバ装置１が提供するウェブサイトの全体構成を示す。
【００４１】
このウェブサイトは、トップページ２６と、上記トップページ２６からリンクして表示される絞込メニューページ２７と、上記ウェブページ格納部１８に格納された静的ページによる静的な絞込み検索を行うための複数系列の絞込ファイル群２８Ａ，２８Ｂ，２８Ｃと、絞込ファイル群２８Ａ，２８Ｂ，２８Ｃによる絞込検索結果にリンクして表示される詳細情報ページ２９が複数集合した詳細情報ページ群と、ホテルの予約処理を行う予約処理ページ３０とを備えて構成されている。
【００４２】
上記各絞込ファイル群２８Ａ，２８Ｂ，２８Ｃは、それぞれ、絞込条件が一覧表示された絞込ページ（単位ページ）３１Ａ，３１Ｂ，３１Ｃが複数集合してなる絞込ページ群と、上記絞込ページ（単位ページ）３１Ａ，３１Ｂ，３１Ｃに一覧表示された絞込条件にリンクして、上記絞込条件に対する選択入力に基づいて端末装置５に表示され、上記選択入力された絞込条件に対する検索対象の一覧が表示された検索対象一覧ページ３２Ａ，３２Ｂ，３２Ｃが複数集合してなる検索対象一覧ページ群とによって構成されている。
【００４３】
上記絞込ファイル群２８Ａ，２８Ｂ，２８Ｃは、絞込条件のカテゴリが異なる複数系列を備えている。この例では、地域からホテルを絞り込むための地域系列絞込ファイル群２８Ａと、駅からホテルを絞り込むための駅系列絞込ファイル群２８Ｂと、ランドマークからホテルを絞り込むためのランドマーク系列絞込ファイル群２８Ｃとを備えている。
【００４４】
したがって、上記地域系列絞込ファイル群２８Ａは、地域絞込ページ３１Ａが複数集合した地域絞込ページ群と、地域毎検索対象一覧ページ（二次絞込結果表示ページ）３２Ａとから構成され、上記駅系列絞込ファイル群２８Ｂは、駅絞込ページ３１Ｂが複数集合した駅絞込ページ群と、駅毎検索対象一覧ページ（二次絞込結果表示ページ）３２Ｂとから構成され、上記ランドマーク系列絞込ファイル群２８Ｃは、ランドマーク絞込ページ３１Ｃが複数集合したランドマーク絞込ページ群と、ランドマーク毎検索対象一覧ページ（二次絞込結果表示ページ）３２Ｃとから構成されている。
【００４５】
そして、トップページ２６から所定のハイパーリンクをたどって絞込メニューページ２７に進み、絞込メニューページ２７に表示された「地域」「駅」「ランドマーク」のメニューを選択すると、ハイパーリンクによってそれぞれ地域絞込ページ３１Ａ、駅絞込ページ３１Ｂ、ランドマーク絞込ページ３１Ｃが表示される。このときは、地域絞込ページ群、駅絞込ページ群、ランドマーク絞込ページ群のうち、あらかじめデフォルトとして設定された地域絞込ページ３１Ａ、駅絞込ページ３１Ｂ、ランドマーク絞込ページ３１Ｃが表示される。
【００４６】
また、地域絞込ページ３１Ａ、駅絞込ページ３１Ｂ、ランドマーク絞込ページ３１Ｃから、それぞれ所定のハイパーリンクにより、地域毎検索対象一覧ページ３２Ａ，駅毎検索対象一覧ページ３２Ｂ，ランドマーク毎検索対象一覧ページ３２Ｃが表示される。そして、地域毎検索対象一覧ページ３２Ａ，駅毎検索対象一覧ページ３２Ｂ，ランドマーク毎検索対象一覧ページ３２Ｃから所定のハイパーリンクにより、詳細情報ページ２９が表示され、詳細情報ページ２９から所定のハイパーリンクにより、予約処理ページ３０に進むことができる。
【００４７】
そして、上記地域系列絞込ファイル群２８Ａ、駅系列絞込ファイル群２８Ｂ、ランドマーク系列絞込ファイル群２８Ｃにより、それぞれ検索対象であるホテルを地域、駅、ランドマークを絞込条件として絞込検索して一覧表示する。一覧表示したホテルから所望のホテルを選択して詳細情報を表示して予約処理等を行い得るようになっている。
【００４８】
図３は、３系列あるうちの１系列である地域系列絞込ファイル群２８Ａと詳細情報ページ２９とにおけるファイルのリンク構造を示したものである。
【００４９】
地域絞込ページ（単位ページ）３１Ａは、複数の絞込段階が設定されて各絞込段階における絞込条件が一覧表示された複数の絞込条件表示部３５Ａ，３６Ａと、上記複数の絞込段階の絞込条件で絞り込まれた絞込結果が一覧表示された絞込結果表示部３７Ａとが設けられている。地域絞込ページ群は、上記地域絞込ページ（単位ページ）３１Ａが複数集合して構成されている。
【００５０】
この地域絞込ページ（単位ページ）３１Ａは、上記複数の絞込条件表示部３５Ａ，３６Ａは並べて配置され、上位の絞込条件が表示された上位絞込条件表示部３５Ａから、順次相対的に下位の絞込条件が表示された下位絞込条件表示部３６Ａが並べて配置され、引き続き絞込結果表示部３７Ａが並べて配置されている。
【００５１】
上記地域絞込ページ（単位ページ）３１Ａでは、上位絞込条件表示部３５Ａはすなわち地方表示部３５Ａであり、絞込条件として北海道、東北、近畿等の地方名が一覧表示されている。また、この地域絞込ページ（単位ページ）３１Ａでは、下位絞込条件表示部３６Ａはすなわち都道府県表示部３６Ａであり、絞込条件として上記地方表示部３５Ａで選択された地方に属する都道府県名が一覧表示されている。
【００５２】
図示した例では、地方表示部３５Ａで「近畿」を選択しており、都道府県表示部３６Ａには、三重県、大阪府等の近畿に属する都道府県名が表示されている。なお、選択した地方には矢印が表示される。
【００５３】
ここで、上記地域絞込ページは、インターネット経由でウェブサーバ３に接続した端末装置５の表示装置に表示される画面であり、表示された地方名や都道府県名の選択は、地方名や都道府県名にマウスポインタを当ててクリックすることにより選択することができる。以下、他の駅絞込ページ３１Ｂ、ランドマーク絞込ページ３１Ｃ、検索結果一覧ページ３２Ａ，３２Ｂ，３２Ｃ、詳細情報ページ２９等において同様である。
【００５４】
また、上記地域絞込ページ（単位ページ）３１Ａでは、絞込結果表示部３７Ａはすなわち地域表示部３７Ａであり、絞込結果として上記都道府県表示部３６Ａで選択された都道府県に属する地域名が一覧表示されている。
【００５５】
図示した例では、都道府県表示部３６Ａで「大阪府」を選択しており、地域表示部３７Ａには、「梅田」「淀屋橋」等の大阪府に属する地域名が表示されている。なお、選択した都道府県には矢印が表示される。
【００５６】
上記地域絞込ページ（単位ページ）３１Ａの地域表示部３７Ａに表示された地域名に対する選択入力により、各地域に存在するホテルの一覧が表示された検索対象一覧ページ３２Ａが表示される。すなわち、上記地域表示部３７Ａに表示された地域名には、それぞれの地域のホテル一覧が表示された検索対象一覧ページ３２Ａに対するハイパーリンクが設けられている。
【００５７】
上記検索対象一覧ページ３２Ａと地域表示部３７Ａに表示された地域名とは１対１で対応しており、地域表示部３７Ａに表示された地域名の数だけ検索対象一覧ページ３２Ａのファイルが存在することになる。
【００５８】
上記検索対象一覧ページ３２Ａには、リンクする地域表示部３７Ａの地域に存在するホテルの一覧が表示されている。図示した例では「梅田」や「淀屋橋」のホテル一覧が表示される。上記検索対象一覧ページ３２Ａに表示されたホテル名には、そのホテルの詳細情報が表示された詳細情報ページ２９がリンクしており、検索対象一覧ページ３２Ａに一覧表示されたホテル名に対する選択入力により、選択されたホテルの詳細情報ページ２９が表示されるようになっている。
【００５９】
図４は、地域絞込ページ（単位ページ）３１Ａによる地域の絞込の一例を示したものである。
【００６０】
地域絞込ページ群は、地域絞込ページ（単位ページ）３１Ａが複数集合して構成されており、端末装置５における上記複数の絞込条件表示部３５Ａ，３５Ｂにそれぞれ一覧表示された絞込条件に対する選択入力に基づいて、上記絞込結果表示部３７Ａに上記選択入力で絞り込まれた絞込結果が一覧表示された地域絞込ページ（単位ページ）３１Ａに対応するファイルが選択され、当該地域絞込ページ（単位ページ）３１Ａが端末装置５に表示されるようになっている。
【００６１】
まず、絞込メニューページ２７に設けられたハイパーリンクにより、複数の絞込ページからあらかじめデフォルトとして設定された地域絞込ページ（単位ページ）３１Ａが表示される。図示した例では、地方表示部（上位絞込条件表示部）３５Ａにおいて「関東」が選択され、都道府県表示部（下位絞込条件表示部）３６Ａにおいて「東京都」が選択された地域絞込ページ（単位ページ）３１Ａである。
【００６２】
地域絞込ページ群は、このような地域絞込ページ（単位ページ）３１Ａが都道府県表示部（下位絞込条件表示部）３６Ａにおける絞込条件の数だけ存在する。この例では、都道府県数である４７の地域絞込ページ（単位ページ）３１Ａが準備されている。
【００６３】
上記デフォルトに設定されたページにおいて、地方表示部（上位絞込条件表示部）３５Ａで「近畿」を選択すると、近畿に属する７つの都道府県に対応した７つの地域絞込ページ（単位ページ）３１Ａのうち、さらにデフォルトとなる地域絞込ページ（単位ページ）３１Ａ（この例では三重県）が選択されて表示される。
【００６４】
そして、上記デフォルトである三重県の地域絞込ページ（単位ページ）３１Ａの都道府県表示部（下位絞込条件表示部）３６Ａにおいて「大阪府」を選択すると、選択された都道府県である「大阪府」に対応する地域絞込ページ（単位ページ）３１Ａが選択されて表示される。
【００６５】
選択された都道府県である「大阪府」に対応する地域絞込ページ（単位ページ）３１Ａは、地域表示部（絞込結果表示部）３７Ａには、大阪府に属する地域である「梅田・北新地」「中之島・淀屋橋」等の地域名が絞込結果として表示されている。
【００６６】
このように、地方表示部（上位絞込条件表示部）３５Ａで上位絞込条件として地方を選択し、都道府県表示部（下位絞込条件表示部）３６Ａで下位絞込条件として都道府県を選択すると、上記選択入力で絞り込まれた絞込結果として当該都道府県の地域が表示された地域絞込ページ（単位ページ）３１Ａが選択されて表示されるのである。地方表示部（上位絞込条件表示部）３５Ａおよび都道府県表示部（下位絞込条件表示部）３６Ａでの選択入力と、それに対応した地域絞込ページ（単位ページ）３１Ａが選択されることとの関係については後述する。
【００６７】
上記のようなファイル構造により、一覧表示された絞込条件から所望の絞込条件を選択するだけで複数段階の適切な絞込が行われるため、従来のように、ユーザが絞込条件を設定する必要がなくなり、設定した絞込み条件が不適切で絞込みの精度が低下するような問題もない。また、一旦絞込条件を入力して検索を実行したあとに再度検索を行う場合にも、単位ページに複数表示されている絞込条件表示部における絞込条件の選択で異なる条件での絞込を容易に行うことができ、従来のように絞込条件を再入力する手間が省ける。
【００６８】
ここでは、地域絞込ページ群についてのみ説明したが、駅絞込ページ群、ランドマーク絞込ページ群においても、表示される上位絞込条件、下位絞込条件、絞込結果が変わるだけで、基本的には同様であるので説明を省略する。
【００６９】
図５は、地域系列絞込ファイル群２８Ａにより、地域絞込ページ群によって地域を絞り込んでその地域のホテル一覧である検索対象一覧ページ３２Ａを表示し、所望のホテル詳細情報が掲載された詳細情報ページ２９を表示する状態を示した図である。
図６は、駅系列絞込ファイル群２８Ｂにより、駅絞込ページ群によって駅を絞り込んでその駅近辺のホテル一覧である駅毎検索対象一覧ページ３２Ｂを表示し、所望のホテル詳細情報が掲載された詳細情報ページ２９を表示する状態を示した図である。
図７は、ランドマーク系列絞込ファイル群２８Ｃにより、ランドマーク絞込ページ群によってランドマークを絞り込んでそのランドマーク近辺のホテル一覧であるランドマーク毎検索対象一覧ページ３２Ｃを表示し、所望のホテル詳細情報が掲載された詳細情報ページ２９を表示する状態を示した図である。
【００７０】
図５に示すように、地域絞込からのホテル検索は、まず、図４で説明した手順で所望の地域の絞込みを行い、地域絞込ページ（単位ページ）３１Ａの地域表示部（絞込結果表示部）３７Ａに表示された地域名に設けられたハイパーリンクにより、上記地域名に対する選択入力で各地域に存在するホテルの一覧が表示された地域毎検索対象一覧ページ３２Ａが表示される。さらに、上記地域毎検索対象一覧ページ３２Ａに一覧表示されたホテル名に設けられたハイパーリンクにより、上記ホテル名に対する選択入力で、選択されたホテルの詳細情報ページ２９が表示される。
【００７１】
上記地域毎検索対象一覧ページ３２Ａは、地域絞込ページ群を構成する全ての地域絞込ページ３１Ａの地域表示部３７Ａに表示された地域名と同じ数だけ準備されて存在し、地域毎検索対象一覧ページ群を構成している。
【００７２】
図６に示すように、駅絞込からのホテル検索は、まず、駅絞込ページ３１Ｂにより、所望の駅および路線の絞込みを行う。駅絞込ページ３１Ｂには、上位絞込条件表示部として都道府県表示部３５Ｂが設けられ、下位絞込条件表示部として駅表示部３６Ｂが設けられ、絞込結果表示部として路線表示部３７Ｂが設けられている。
【００７３】
都道府県表示部（上位絞込条件表示部）３５Ｂで都道府県を選択し、駅表示部（下位絞込条件表示部）３６Ｂで上記選択した都道府県内に存在する駅を選択すると、路線表示部３７Ｂ（絞込結果表示部）には、その駅が存在する路線の一覧が表示される。図示した例では、都道府県表示部（上位絞込条件表示部）３５Ｂで「大阪府」を選択し、駅表示部（下位絞込条件表示部）３６Ｂで「天王寺駅」を選択し、路線表示部３７Ｂ（絞込結果表示部）に天王寺駅が存在する路線として「ＪＲ」「大阪市営地下鉄」が表示されている。
【００７４】
上記駅絞込ページ（単位ページ）３１Ｂの路線表示部（絞込結果表示部）３７Ｂに表示された路線名に設けられたハイパーリンクにより、上記駅・路線名に対する選択入力で各駅・路線近傍のホテルの一覧が表示された駅毎検索対象一覧ページ３２Ｂが表示される。さらに、上記駅毎検索対象一覧ページ３２Ｂに一覧表示されたホテル名に設けられたハイパーリンクにより、上記ホテル名に対する選択入力で、選択されたホテルの詳細情報ページ２９が表示される。
【００７５】
上記駅毎検索対象一覧ページ３２Ｂは、駅絞込ページ群を構成する全ての駅絞込ページ３１Ｂの路線表示部３７Ｂに表示された駅・路線名と同じ数だけ準備されて存在し、駅毎検索対象一覧ページ群を構成している。
【００７６】
図７に示すように、ランドマーク絞込からのホテル検索は、まず、ランドマーク絞込ページ３１Ｃにより、所望のランドマークの絞込みを行う。ランドマーク絞込ページ３１Ｃには、上位絞込条件表示部としてランドマーク区分表示部３５Ｃが設けられ、下位絞込条件表示部として都道府県表示部３６Ｃが設けられ、絞込結果表示部としてランドマーク表示部３７Ｃが設けられている。
【００７７】
ランドマーク区分表示部（上位絞込条件表示部）３５Ｃでランドマーク区分を選択し、都道府県表示部（下位絞込条件表示部）３６Ｃで上記選択したランドマーク区分のランドマークが存在する都道府県を選択すると、ランドマーク表示部３７Ｃ（絞込結果表示部）には、その都道府県内に存在する上記選択されたランドマーク区分に属するランドマークの一覧が表示される。図示した例では、ランドマーク区分表示部（上位絞込条件表示部）３５Ｃで「動物園」を選択し、都道府県表示部（下位絞込条件表示部）３６Ｃで「大阪府」を選択し、ランドマーク表示部３７Ｃ（絞込結果表示部）にランドマークとして「天王寺動物園」「ひらかたパーク」が表示されている。
【００７８】
上記ランドマーク絞込ページ（単位ページ）３１Ｃのランドマーク表示部（絞込結果表示部）３７Ｃに表示されたランドマーク名に設けられたハイパーリンクにより、上記ランドマーク近傍のホテルの一覧が表示されたランドマーク毎検索対象一覧ページ３２Ｃが表示される。さらに、上記ランドマーク毎検索対象一覧ページ３２Ｃに一覧表示されたホテル名に設けられたハイパーリンクにより、上記ホテル名に対する選択入力で、選択されたホテルの詳細情報ページ２９が表示される。
【００７９】
上記ランドマーク毎検索対象一覧ページ３２Ｃは、ランドマーク絞込ページ群を構成する全てのランドマーク絞込ページ３１Ｃのランドマーク表示部３７Ｃに表示されたランドマーク名と同じ数だけ準備されて存在し、ランドマーク毎検索対象一覧ページ群を構成している。
【００８０】
このように、上記詳細情報ページ２９は、上記複数系列すなわち地域系列絞込ファイル群２８Ａ、駅系列絞込ファイル群２８Ｂ、ランドマーク系列絞込ファイル群２８Ｃにおける地域毎検索対象一覧ページ３２Ａ，駅毎検索対象一覧ページ３２Ｂ、ランドマーク毎検索対象一覧ページ３２Ｃに表示された検索対象であるホテル名にリンクしている。
【００８１】
上記詳細情報ページ２９は、検索対象として登録されたホテルの数だけ準備されて存在している。このように、上記複数系列すなわち地域系列絞込ファイル群２８Ａ、駅系列絞込ファイル群２８Ｂ、ランドマーク系列絞込ファイル群２８Ｃにおける地域毎検索対象一覧ページ３２Ａ，駅毎検索対象一覧ページ３２Ｂ、ランドマーク毎検索対象一覧ページ３２Ｃに表示された検索対象であるホテル名にリンクして、上記検索対象であるホテル名に対する選択入力に基づいて端末装置５に表示され、検索対象の詳細情報が表示された詳細情報ページ２９が複数集合してなる詳細情報ページ群を有している。
【００８２】
上記詳細情報ページ２９は、ホテル名、ホテルの所在地、電話番号、ＦＡＸ番号、設備の概要等のホテルに関する情報が掲載されているほか、当該ホテルが存在する地域名が表示された地域リンク４４Ａ、当該ホテルの最寄駅名が表示された駅リンク４４Ｂ、当該ホテルの近辺に存在するランドマーク名が表示されたランドマークリンク４４Ｃが設けられている。
【００８３】
そして、地域リンク４４Ａには、表示された地域に存在するホテル一覧が表示された検索対象一覧ページ３２Ａへのハイパーリンクが設けられ、地域リンク４４Ａへの選択入力によりその地域のホテル一覧が表示された検索対象一覧ページ３２Ａが表示される。また、駅リンク４４Ｂには、表示された駅近辺に存在するホテル一覧が表示された駅毎検索対象一覧ページ３２Ｂへのハイパーリンクが設けられ、駅リンク４４Ｂへの選択入力によりその駅近辺のホテル一覧が表示された駅毎検索対象一覧ページ３２Ｂが表示される。同様に、ランドマークリンク４４Ｃには、表示されたランドマーク近辺に存在するホテル一覧が表示されたランドマーク毎検索対象一覧ページ３２Ｃへのハイパーリンクが設けられ、ランドマークリンク４４Ｃへの選択入力によりそのランドマーク近辺のホテル一覧が表示されたランドマーク毎検索対象一覧ページ３２Ｃが表示される。
【００８４】
このように、上記詳細情報ページ２９には、上記複数系列すなわち地域系列絞込ファイル群２８Ａ、駅系列絞込ファイル群２８Ｂ、ランドマーク系列絞込ファイル群２８Ｃにおける地域毎検索対象一覧ページ３２Ａ，駅毎検索対象一覧ページ３２Ｂ、ランドマーク毎検索対象一覧ページ３２Ｃを表示させるためのリンクとして、地域リンク４４Ａ、駅リンク４４Ｂ、ランドマークリンク４４Ｃが設けられている。
【００８５】
図８は、上記のようなファイル構造を模式的に示したものである。
【００８６】
１つの地域絞込ページ３１Ａから複数の地域毎検索対象一覧ページ３２Ａにリンクし、地域絞込ページ３１Ａが複数あることから地域毎検索対象一覧ページ３２Ａは非常に多数のファイルが準備されることとなる。また、１つの駅絞込ページ３１Ｂから複数の駅毎検索対象一覧ページ３２Ｂにリンクし、駅絞込ページ３１Ｂが複数あることから駅毎検索対象一覧ページ３２Ｂは非常に多数のファイルが準備されることとなる。同様に、１つのランドマーク絞込ページ３１Ｃから複数のランドマーク毎検索対象一覧ページ３２Ｃにリンクし、ランドマーク絞込ページ３１Ｃが複数あることからランドマーク毎検索対象一覧ページ３２Ｃは非常に多数のファイルが準備されることとなる。
【００８７】
このようなファイル構造により、検索対象の詳細情報ページ２９のファイル数よりも、地域毎検索対象一覧ページ３２Ａ，駅毎検索対象一覧ページ３２Ｂ，ランドマーク毎検索対象一覧ページ３２Ｃのファイル数の方が非常に多くなり、地域毎検索対象一覧ページ３２Ａ，駅毎検索対象一覧ページ３２Ｂ，ランドマーク毎検索対象一覧ページ３２Ｃがサーチエンジンの検索対象となる。
【００８８】
そして、絞込条件のカテゴリが異なる複数系列の絞込ファイル群２８Ａ，２８Ｂ，２８Ｃで検索対象を絞り込むことから、検索対象の詳細情報ページ２９だけでなく、検索対象に関連する非常に多くの絞込ページ３１Ａ，３１Ｂ，３１Ｃや検索対象一覧ページ３２Ａ，３２Ｂ，３２Ｃのファイルが存在することになるので、これら多数のファイルがすべてサーチエンジンによる対象となることから、サーチエンジンでのヒット率が大幅に向上し、ＳＥＯ（Search Engine Optimization）上極めて有利になる。
【００８９】
そして、詳細情報ページ２９は、地域毎検索対象一覧ページ３２Ａに設けられたハイパーリンクにより表示され、駅毎検索対象一覧ページ３２Ｂに設けられたハイパーリンクにより表示され、ランドマーク毎検索対象一覧ページ３２Ｃに設けられたハイパーリンクによっても表示される。反対に、詳細情報ページ２９に設けられた地域リンク４４Ａにより地域毎検索対象一覧ページ３２Ａが表示され、詳細情報ページ２９に設けられた駅リンク４４Ｂにより駅毎検索対象一覧ページ３２Ｂが表示され、詳細情報ページ２９に設けられたランドマークリンク４４Ｃによりランドマーク毎検索対象一覧ページ３２Ｃが表示される。
【００９０】
このようなファイル構造により、詳細情報ページ２９と地域毎検索対象一覧ページ３２Ａ、駅毎検索対象一覧ページ３２Ｂ、ランドマーク毎検索対象一覧ページ３２Ｃを行ったり来たりしながら、所望の検索対象を探すことができ、従来のように、検索画面まで戻って再度検索をやりなおしたりする必要がなくなり、自由にネットサーフィンを行う感覚で検索対象を探すことができ、ストレスや煩雑をあまり感じない検索を可能とする。
【００９１】
また、絞込条件のカテゴリが異なる複数の絞込ページ群３１Ａ，３１Ｂ，３１Ｃによって絞込を行ったのち、それぞれのカテゴリで絞り込まれた検索対象一覧ページ３２Ａ，３２Ｂ，３２Ｃを表示させ、さらに詳細情報ページ２９に進むことから、多様な絞込方法の提供により精度のよい検索ができる。
【００９２】
つぎに、上記のようなファイル構造の構築方法について説明する。
【００９３】
図９は、地域系列絞込における地域絞込ページ（単位ページ）３１Ａと、そのファイルを生成するためのマスタテーブルを示す図である。
【００９４】
上記地域絞込ページ（単位ページ）３１Ａは、地方表示部３５Ａ、都道府県表示部３６Ａ、地域表示部３７Ａが設けられている。そして、地方表示部３５Ａは地方マスタ１５のデータに基づいて生成され、都道府県表示部３６Ａは都道府県マスタ２５のデータに基づいて生成され、地域表示部３７Ａは地域マスタ２４のデータに基づいて生成される。これらのマスタテーブルはデータベースサーバ４に格納されている。
【００９５】
上記地域絞込ページ（単位ページ）３１Ａは、ウェブページ生成手段１６により、テンプレート格納部１７から読み出したテンプレートに対し、データベース検索手段９によって上記各マスタテーブルからデータベース検索で読み出されたデータを挿入することによって生成される。以下、駅絞込ページ３１Ｂ、ランドマーク絞込ページ３１Ｃ、地域毎検索対象一覧ページ３２Ａ、駅毎検索対象一覧ページ３２Ｂ、ランドマーク毎検索対象一覧ページ３２Ｃ、詳細情報ページ２９の生成においても同様である。
【００９６】
上記地方マスタ１５は、地方表示部３５Ａに表示すべき地方名称「北海道」「東北」・・・と、各地方名称に対応するよう設定された地方コード「０１」「０２」・・・とが記録されている。
【００９７】
上記都道府県マスタ２５は、都道府県表示部３６Ａに表示すべき都道府県名称「北海道」「青森」・・・と、各都道府県名称に対応するよう設定された都道府県コード「０１」「０２」・・・と、さらに各都道府県が属する地方の地方コード「０１」「０２」・・・が記録されている。
【００９８】
上記地域マスタ２４は、地域表示部３７Ａに表示すべき地域名称「札幌」「千歳」・・・と、各地域名称に対応するよう設定された地域コード「０００１」「０００２」・・・と、各地域が属する都道府県の都道府県コード「０１」「０２」・・・と、さらにその都道府県が属する地方の地方コード「０１」「０２」・・・とが記録されている。
【００９９】
上記地方表示部３５Ａは、地方マスタ１５から地方名称を順次読み出してテンプレートファイルの所定位置に挿入することにより生成することができる。各地方名称には、その名称をクリックすることによりそれぞれの地方コードを含むファイルが読み出されるようにリンクが設けられている。
【０１００】
上記都道府県表示部３６Ａは、都道府県マスタ２５から都道府県名称を順次読み出してテンプレートファイルの所定位置に挿入することにより生成することができる。各都道府県名称には、その名称をクリックすることによりそれぞれの都道府県コードを含むファイルが読み出されるようにリンクが設けられている。
【０１０１】
上記地域表示部３７Ａは、地域マスタ２４から地域名称を順次読み出してテンプレートファイルの所定位置に挿入することにより生成することができる。各地域名称には、その名称をクリックすることによりそれぞれの地域コードをファイル名とするファイルが読み出されるようにリンクが設けられている。
【０１０２】
そして、各地域絞込ページ（単位ページ）３１Ａは都道府県ごとに１つずつ生成され、ファイル名として、その都道府県に係る都道府県コードと、その都道府県が属する地方の地方コードとの組合せコードがファイル名としてつけられる。例えば、図示した「近畿＞大阪府」の地域絞込ページ（単位ページ）３１Ａでは、「近畿」の地方コード「０５」と「大阪府」の地方コード「２７」とを組み合わせた組合せコード「Ｋ０５２７」がファイル名となる。
【０１０３】
すなわち、各地域絞込ページ（単位ページ）３１Ａに対応する各ファイルは、上位絞込条件（この例では地方）それぞれに割り当てられた上位絞込条件コード（地方コード）に対して、下位絞込条件（この例では都道府県）それぞれに割り当てられた下位絞込条件コード（都道府県コード）を組み合わせた組合せコードをファイル名として格納される。
【０１０４】
このようにして生成された地域絞込ページ（単位ページ）３１Ａは、図４で説明したように、まず、絞込メニューページ２７に設けられたハイパーリンクにより、複数の絞込ページからあらかじめデフォルトとして設定された地域絞込ページ（単位ページ）３１Ａが表示される。図示した例では、地方表示部（上位絞込条件表示部）３５Ａにおいて「関東」が選択され、都道府県表示部（下位絞込条件表示部）３６Ａにおいて「東京都」が選択された地域絞込ページ（単位ページ）３１Ａがデフォルトである。
【０１０５】
上記デフォルトに設定されたページにおいて、地方表示部（上位絞込条件表示部）３５Ａで「近畿」を選択すると、「近畿」の地方コードである「０５」と、都道府県マスタ２５において近畿に対応した２桁の都道府県コードのうち最も小さい「２４」が自動的に組み合わされて「Ｋ０５２４」という組合せコードが自動生成される。
【０１０６】
そして、例えば当該サイトのＵＲＬが「http://www.hotel.co.jp/」であれば、当該ＵＲＬに上記生成した組合せコード「Ｋ０５２４」を組み合わせた「http://www.hotel.co.jp/K0524/」のファイル（すなわち、「Ｋ０５２４」のファイル名で格納された地域絞込ページ（単位ページ）３１Ａのファイルである）を読み出して端末装置５に表示させる。これにより、上記デフォルトに設定されたページにおいて、地方表示部（上位絞込条件表示部）３５Ａで「近畿」を選択すると、近畿に属する７つの都道府県に対応した７つの地域絞込ページ（単位ページ）３１Ａのうち、さらにデフォルトとなる地域絞込ページ（単位ページ）３１Ａ（この例では三重県）が選択されて表示される。
【０１０７】
さらに、上記デフォルトである三重県の地域絞込ページ（単位ページ）３１Ａの都道府県表示部（下位絞込条件表示部）３６Ａにおいて「大阪府」を選択すると、「近畿」の地方コードである「０５」と、上記選択された「大阪府」に対応した２桁の都道府県コード「２７」が自動的に組み合わされて「Ｋ０５２７」という組合せコードが自動生成される。
【０１０８】
そして、上述と同様に、当該サイトのＵＲＬ「http://www.hotel.co.jp/」に上記生成した組合せコード「Ｋ０５２７」を組み合わせた「http://www.hotel.co.jp/K0527/」のファイルを読み出して端末装置５に表示させる。これにより、選択された都道府県である「大阪府」に対応する地域絞込ページ（単位ページ）３１Ａが選択されて表示される。
【０１０９】
このように、各絞込条件表示部（地方表示部３５Ａ、都道府県表示部３６Ａ）に一覧表示された絞込条件（地方、都道府県）に対する選択入力によって、上位絞込条件コード（地方コード）と下位絞込条件コード（都道府県コード）を組み合わせた組合せコードが指定され、当該指定された組合せコードをファイル名とするファイルが選択されて地域絞込ページ（単位ページ）３１Ａが端末装置５に表示されるのである。
【０１１０】
図１０は、地域系列絞込における地域毎検索対象一覧ページ３２Ａと、それを生成するためのマスタテーブルを示す図である。
【０１１１】
地域毎検索対象一覧ページ３２Ａは、各地域絞込ページ（単位ページ）３１Ａの地域表示部３７Ａに表示された地域毎に１つのページ（ファイル）が生成される。各地域毎検索対象一覧ページ３２Ａは、対応する地域毎に、当該地域内に存在するホテル名称が表示されている。
【０１１２】
上記地域毎検索対象一覧ページ３２Ａを生成するホテル名称マスタ２３は、ホテル名称とホテルコード「０００１」「０００２」・・・、さらに当該ホテルが存在する地域の地域コード例えば「１２３４」が記録されている。
【０１１３】
上記地域毎検索対象一覧ページ３２Ａは、ホテル名称マスタ２３からホテル名称を順次読み出してテンプレートファイルの所定位置に挿入することにより生成することができる。各ホテル名称には、その名称をクリックすることによりそれぞれのホテルコードをファイル名とするファイルが読み出されるようにリンクが設けられている。
【０１１４】
また、上記地域毎検索対象一覧ページ３２Ａは地域毎に１ファイルが生成され、当該地域に対応する地域コードをファイル名として格納される。
【０１１５】
そして、上述したように、地域絞込ページ（単位ページ）３１Ａの地域表示部３７Ａに表示された地域名をクリックすると、当該地域名に対応する地域コードをファイル名とするファイルが読み出されるようリンクが設けられている。したがって、地域絞込ページ（単位ページ）３１Ａの地域表示部３７Ａに表示された地域名をクリックすると、当該地域コードをファイル名とする地域毎検索対象一覧ページ３２Ａが端末装置５に表示される。
【０１１６】
さらに、地域毎検索対象一覧ページ３２Ａに表示されたホテル名をクリックすることにより、対応するホテルコードをファイル名とするファイルである詳細情報ページ２９が読み出されて端末装置５に表示される。
【０１１７】
図１１は、駅系列絞込における駅絞込ページ（単位ページ）３１Ｂと、そのファイルを生成するためのマスタテーブルを示す図、図１２は、駅毎検索対象一覧ページ３２Ｂと、それを生成するためのマスタテーブルを示す図である。
【０１１８】
上記駅絞込ページ（単位ページ）３１Ｂは、都道府県表示部３５Ｂ、駅表示部３６Ｂ、路線表示部３７Ｂが設けられている。
【０１１９】
都道府県マスタ２５は、都道府県表示部３５Ｂに表示すべき都道府県名称と、各都道府県名称に対応するよう設定された都道府県コードとが記録されている。駅マスタ１１は、駅表示部３６Ｂに表示すべき駅名称と、各駅名称に対応するよう設定された駅コードと、さらに各駅が属する都道府県の都道府県コードが記録されている。上記駅・路線マスタ２２は、路線表示部３７Ｂに表示すべき路線名称と、各路線に対応するよう設定された路線コードと、各路線に対応する駅の駅コードと、さらにその駅が存在する都道府県の都道府県コードとが記録されている。
【０１２０】
都道府県表示部３５Ｂ、駅表示部３６Ｂ、路線表示部３７Ｂは、それぞれ都道府県マスタ２５、駅マスタ１１、駅・路線マスタ２２から名称を順次読み出してテンプレートファイルの所定位置に挿入することにより生成することができる。
【０１２１】
都道府県表示部３５Ｂ、駅表示部３６Ｂにそれぞれ表示された都道府県名、駅名をクリックすることによりそれぞれの都道府県コード、駅コードを含むファイルが読み出されるようにリンクが設けられている。また、路線表示部３７Ｂの路線名をクリックすることにより、その駅コードと路線コードの組合せコードをファイル名とするファイルが読み出されるようにリンクが設けられている。
【０１２２】
駅毎検索対象一覧ページ３２Ｂは、各駅絞込ページ（単位ページ）３１Ｂの駅表示部３６Ｂに表示された駅と路線表示部３７Ｂに表示された路線毎に１つのページ（ファイル）が生成される。各駅毎検索対象一覧ページ３２Ｂは、対応する駅・路線毎に、駅・路線近傍に存在するホテル名称が表示されている。
【０１２３】
上記駅毎検索対象一覧ページ３２Ｂを生成するホテル名称マスタ２３は、ホテル名称とホテルコード、さらに路線コードおよび駅コードが記録されている。
【０１２４】
上記駅毎検索対象一覧ページ３２Ｂは、ホテル名称マスタ２３からホテル名称を順次読み出してテンプレートファイルの所定位置に挿入することにより生成することができる。各ホテル名称には、その名称をクリックすることによりそれぞれのホテルコードをファイル名とするファイルが読み出されるようにリンクが設けられている。
【０１２５】
また、駅毎検索対象一覧ページ３２Ｂは、対応する駅・路線毎にファイルが作成され、同じ駅名でも、例えばＪＲと私鉄では別のファイルが作成される。したがって、ファイル名としては路線コードと駅コードの組み合わせコードが使用される。
【０１２６】
そして、各駅絞込ページ（単位ページ）３１Ｂは駅ごとに１つずつ生成される。そして、ファイル名として、その都道府県に係る都道府県コードと、駅コードとの組合せコードがファイル名としてつけられる。そして、都道府県表示部３５Ｂでの都道府県の選択と、駅表示部３６Ｂでの駅の選択により、選択された都道府県コードと駅コードの組み合わせコードをファイル名に含むファイルが読み出されて端末装置５に表示される。
【０１２７】
また、駅絞込ページ（単位ページ）３１Ｂの路線表示部３７Ｂの路線を選択することにより、対応する駅の駅コードと路線コードとの組合せコードをファイル名とする駅毎検索対象一覧ページ３２Ｂが読み出されて端末装置５に表示される。さらに、駅毎検索対象一覧ページ３２Ｂに表示されたホテル名をクリックすることにより、対応するホテルコードをファイル名とするファイルである詳細情報ページ２９が読み出されて端末装置５に表示される。
【０１２８】
図１３は、ランドマーク系列絞込におけるランドマーク絞込ページ（単位ページ）３１Ｃと、そのファイルを生成するためのマスタテーブルを示す図、図１４は、ランドマーク毎検索対象一覧ページ３２Ｃと、それを生成するためのマスタテーブルを示す図である。
【０１２９】
上記ランドマーク絞込ページ（単位ページ）３１Ｃは、ランドマーク区分表示部３５Ｃ、都道府県表示部３６Ｃ、ランドマーク表示部３７Ｃが設けられている。
【０１３０】
ランドマーク区分マスタ２１は、ランドマーク区分表示部３５Ｃに表示すべきランドマーク区分名称と、ランドマーク区分に対応するよう設定されたランドマーク区分コードとが記録されている。都道府県マスタ２５は、都道府県表示部３６Ｃに表示すべき都道府県名称と、各都道府県名称に対応するよう設定された都道府県コードと、さらに各都道府県に存在するランドマークのランドマーク区分コードが記録されている。ランドマークマスタ１２は、ランドマーク表示部３７Ｃに表示すべきランドマーク名称と、各ランドマークに対応するよう設定されたランドマークコードと、各ランドマークが存在する都道府県の都道府県コードと、さらにそのランドマークが属するランドマーク区分のランドマーク区分コードとが記録されている。
【０１３１】
ランドマーク区分表示部３５Ｃ、都道府県表示部３６Ｃ、ランドマーク表示部３７Ｃは、それぞれランドマーク区分マスタ２１、都道府県マスタ２５、ランドマークマスタ１２から名称を順次読み出してテンプレートファイルの所定位置に挿入することにより生成することができる。
【０１３２】
ランドマーク区分表示部３５Ｃ、都道府県表示部３６Ｃにそれぞれ表示されたランドマーク区分名、都道府県名をクリックすることによりそれぞれのランドマーク区分コード、都道府県コードを含むファイルが読み出されるようにリンクが設けられている。また、ランドマーク表示部３７Ｃのランドマーク名をクリックすることにより、そのランドマークコードをファイル名とするファイルが読み出されるようにリンクが設けられている。
【０１３３】
ランドマーク毎検索対象一覧ページ３２Ｃは、各ランドマーク絞込ページ（単位ページ）３１Ｃのランドマーク表示部３７Ｃに表示されたランドマーク毎に１つのページ（ファイル）が生成される。各ランドマーク毎検索対象一覧ページ３２Ｃは、対応するランドマーク毎にランドマークの近傍に存在するホテル名称が表示されている。
【０１３４】
上記ランドマーク毎検索対象一覧ページ３２Ｃを生成するホテル名称マスタ２３は、ホテル名称とホテルコード、さらにランドマークコードが記録されている。
【０１３５】
上記ランドマーク毎検索対象一覧ページ３２Ｃは、ホテル名称マスタ２３からホテル名称を順次読み出してテンプレートファイルの所定位置に挿入することにより生成することができる。各ホテル名称には、その名称をクリックすることによりそれぞれのホテルコードをファイル名とするファイルが読み出されるようにリンクが設けられている。
【０１３６】
また、ランドマーク毎検索対象一覧ページ３２Ｃは、対応するランドマーク毎にファイルが作成され、ファイル名としてはランドマークコードが使用される。
【０１３７】
そして、各ランドマーク絞込ページ（単位ページ）３１Ｃは都道府県ごとに１つずつ生成される。そして、ファイル名として、その都道府県に係る都道府県コードと、ランドマーク区分コードとの組合せコードがファイル名としてつけられる。そして、ランドマーク区分表示部３５Ｃでのランドマーク区分の選択と、都道府県表示部３６Ｃでの都道府県の選択により、選択されたランドマーク区分コードと都道府県コードの組み合わせコードをファイル名に含むファイルが読み出されて端末装置５に表示される。
【０１３８】
また、ランドマーク絞込ページ（単位ページ）３１Ｃのランドマーク表示部３７Ｃのランドマーク名を選択することにより、対応するランドマークのランドマークコードをファイル名とするランドマーク毎検索対象一覧ページ３２Ｃが読み出されて端末装置５に表示される。さらに、ランドマーク毎検索対象一覧ページ３２Ｃに表示されたホテル名をクリックすることにより、対応するホテルコードをファイル名とするファイルである詳細情報ページ２９が読み出されて端末装置５に表示される。
【０１３９】
図１５は、詳細情報ページ２９と、そのファイルを生成するためのテーブルを示す図である。
【０１４０】
詳細情報ページ２９には、ホテル名、ホテルの所在地、電話番号、ＦＡＸ番号、設備の概要等のホテルに関する情報が掲載されているほか、当該ホテルが存在する地域名が表示された地域リンク４４Ａ、当該ホテルの最寄駅名が表示された駅リンク４４Ｂ、当該ホテルの近辺に存在するランドマーク名が表示されたランドマークリンク４４Ｃが設けられている。
【０１４１】
上記詳細情報ページ２９は、ホテルの詳細情報が記録されたホテル詳細マスタ１０、駅の情報が記録された駅マスタ１１、ランドマークの情報が記録されたランドマークマスタ１２および、ホテル詳細マスタ１０と駅マスタ１１を関連付けるための第１中間テーブル１３、駅マスタ１１とランドマークマスタ１２とを関連付けるための第２中間テーブル１４とを使用して生成される。
【０１４２】
上記ホテル詳細マスタ１０は、検索対象であるホテルに関する情報が記録されている。例えば、ホテルごとに割り当てられたホテルコードが記録されている。各ホテルコードは、当該システムにおいてユニーク（唯一）のものであり、このホテル詳細マスタ１０は、ホテルコードを主キーとするテーブルである。また、当該ホテルの名称、住所、電話番号、ＦＡＸ番号、駐車場の有無・台数、室数等の情報が記録されている。これらの情報は、後述するホテル情報を掲載するウェブページに掲載される。
【０１４３】
上記駅マスタ１１は、上記検索対象であるホテルと関連付けるための統一的な中間抽出条件である駅に関する情報が記録されている。なお、この例では、中間抽出条件として駅を使用したが、中間抽出条件は統一的な条件として設定可能なものであれば、これに限定するものではない。
【０１４４】
上記駅マスタ１１には、例えば、駅コード、駅名、駅が存在する都道府県に関する都道府県コード、当該駅が存在する地域の地域コード、都道府県名、路線名等の情報が記録される。各駅コードは、当該システムにおいてユニーク（唯一）のものであり、この駅マスタ１１は、駅コードを主キーとするテーブルである。
【０１４５】
上記ランドマークマスタ１２は、上記中間抽出条件である駅に関連付けるための個別抽出条件であるランドマークに関する情報が記録されている。ここで、ランドマークとは、ある特定地域において目印や指標となりうるような建造物、施設、観光地、催し、名所旧跡等をいい、例えば、官公庁、役所、ホール、展示場、会議場、劇場、コンベンションセンター、会館、美術館、博物館、遊園地、テーマパーク、動物園、野球場、サーキット場、観光地、公園、城、神社、寺、牧場、祭り、名所、空港、港、工業地帯、ビル、葬儀場等、各種のものをあげることができる。
【０１４６】
上記ランドマークマスタ１２には、例えば、ランドマークコード、ランドマーク名、ランドマークが属するカテゴリに関するカテゴリコード、各カテゴリコードに対応するカテゴリ等の情報が記録される。各ランドマークコードは、当該システムにおいてユニーク（唯一）のものであり、このランドマークマスタ１２は、ランドマークコードを主キーとするテーブルである。
【０１４７】
上記カテゴリとは、ランドマークを分類分けしたカテゴリをいい、例えば、上述したような官公庁、役所、ホール、展示場、会議場、劇場、コンベンションセンター、会館、美術館、博物館、遊園地、テーマパーク、動物園、野球場、サーキット場、観光地、公園、城、神社、寺、牧場、祭り、名所、空港、港、工業地帯、ビル、葬儀場等をあげることができる。例えば、「六本木ヒルズ」というランドマークであれば「ビル」のカテゴリに分類され、「大阪城」というランドマークであれば「城」のカテゴリに分類される。
【０１４８】
上記第１中間テーブル１３は、ホテルコードと駅コードが記録されている。この第１中間テーブル１３は、ホテルコードに対して駅コードが関連付けられた関係テーブルを構成している。例えば、１つのホテルコード「Ｈ０００１」に対して「Ｓ０００１」「Ｓ０００２」「Ｓ０００３」の３つの駅コードが対応している。また、駅コードの側から見ると、同じ駅コードが複数のホテルコードと関連付けられている。例えば、１つの駅コード「Ｓ０００１」は複数のホテルコード「Ｈ０００１」「Ｈ０００２」「Ｈ０００３」に関連付けられている。
【０１４９】
このとき、１つのホテルコードに対して同一の駅コードが重複して関連付くことはなく、その反対の１つの駅コードに対して同一のホテルコードが重複して関連付くことはない。したがって、この第１中間テーブル１３は、ホテルコードと駅コードの複合キーを主キーとするテーブルである。
【０１５０】
上記第１中間テーブル１３により、検索対象であるホテルと中間抽出条件である駅とが関連付けられている。この例では、上記第１中間テーブル１３において関連付けられるホテルと駅とは、地理的な距離が近いもの同士が関連付けられる。したがって、あるホテルに関連付けられる駅はそのホテルから地理的に近いものであり、反対に、ある駅に関連付けられるホテルはその駅から地理的に近いものである。
【０１５１】
上記第２中間テーブル１４は、駅コードとランドマークコードが記録されている。この第２中間テーブル１４は、１つの駅コードに対して複数のランドマークコードが関連付けられた関係テーブルを構成している。例えば、１つの駅コード「Ｓ０００１」に対して「Ｌ００００１」「Ｌ００００２」「Ｌ００００３」の３つのランドマークコードが対応している。また、ランドマークコードの側から見ると、同じランドマークコードが複数の駅コードと関連付けられている。例えば、１つのランドマークコード「Ｌ００００１」は複数の駅コード「Ｓ０００１」「Ｓ０００２」「Ｓ０００３」に関連付けられている。
【０１５２】
このとき、１つの駅コードに対して同一のランドマークコードが重複して関連付くことはなく、その反対の１つのランドマークコードに対して同一の駅コードが重複して関連付くことはない。したがって、この第２中間テーブル１４は、駅コードとランドマークコードの複合キーを主キーとするテーブルである。
【０１５３】
上記第２中間テーブル１４により、中間抽出条件である駅と個別抽出条件であるランドマークとが関連付けられている。この例では、上記第２中間テーブル１４において関連付けられる駅とランドマークとは、地理的な距離が近いもの同士が関連付けられる。したがって、ある駅に関連付けられるランドマークはその駅から地理的に近いものであり、反対に、あるランドマークに関連付けられる駅はその駅から地理的に近いものである。
【０１５４】
このようにして、第１中間テーブル１３および第２中間テーブル１４を介して検索対象であるホテルと個別抽出条件であるランドマークとが関連付けられている。
【０１５５】
すなわち、ホテル詳細マスタ１０のホテルが１つ決定されると、第１中間テーブル１３により上記ホテルに対応する複数の駅が決定し、上記複数の駅が決定すると、第２中間テーブル１４によりそれらの駅に対応する複数のランドマークが決定する。反対に、ランドマークマスタ１２のランドマークが１つ決定されると、第２中間テーブル１４により上記ランドマークに対応する複数の駅が決定し、上記複数の駅が決定すると、第１中間テーブル１３によりそれらの駅に対応する複数のホテルが決定するのである。
【０１５６】
上記データベース検索手段９は、例えば、ホテル詳細マスタ１０のホテルが１つ決定されると、第１中間テーブル１３を参照して上記ホテルに対応する複数の駅を決定し、さらに第２中間テーブル１４を参照して上記複数の駅に対応する複数のランドマークを決定する。また、上記データベース検索手段９は、ランドマークマスタ１２のランドマークが１つ決定されると、第２中間テーブル１４を参照して上記ランドマークに対応する複数の駅を決定し、さらに第１中間テーブル１３を参照して上記複数の駅に対応する複数のホテルを決定するのである。
【０１５７】
そして、上記詳細情報ページ２９のホテルに関する情報は、ホテル詳細情報が記録されたホテル詳細マスタ１０から必要なデータを読み出して、所定のテンプレートファイルの所定の位置に挿入することによって生成することができる。
【０１５８】
また、上記詳細情報ページ２９は、ホテル毎にファイルが作成されるので、ホテルコードをファイル名として格納する。これにより、地域毎検索対象一覧ページ３２Ａ、駅毎検索対象一覧ページ３２Ｂ、ランドマーク毎検索対象一覧ページ３２Ｃにそれぞれ表示されたホテル名をクリックすることにより、対応するホテルコードをファイル名とするファイルである詳細情報ページ２９が読み出されて端末装置５に表示される。
【０１５９】
そして、地域リンク４４Ａは、ホテル詳細マスタ１０から第１中間テーブル１３を介して駅マスタ１１に記録された当該ホテルと関連付いた地域名および地域コードを読み出して、地域名を所定のテンプレートファイルの所定の位置に挿入するとともに、地域名をクリックすることにより地域コードをファイル名とするファイルを読み出すようにリンクを設けて生成する。これにより、上記詳細情報ページ２９の地域リンク４４をクリックすることにより、当該地域の地域コードをファイル名とするファイルである地域毎検索対象一覧ページ３２Ａを読み出して端末装置５に表示する。
【０１６０】
駅リンク４４Ｂは、ホテル詳細マスタ１０から第１中間テーブル１３を介して駅マスタ１１に記録された当該ホテルと関連付いた駅名および駅コードを読み出して、駅名を所定のテンプレートファイルの所定の位置に挿入するとともに、駅名をクリックすることにより駅コードをファイル名とするファイルを読み出すようにリンクを設けて生成する。これにより、上記詳細情報ページ２９の駅リンク４４Ｂをクリックすることにより、当該駅の駅コードをファイル名とするファイルである駅毎検索対象一覧ページ３２Ｂを読み出して端末装置５に表示する。
【０１６１】
ランドマークリンク４４Ｃは、ホテル詳細マスタ１０から第１中間テーブル１３、駅マスタ１１および第２中間テーブル１４を介してランドマークマスタ１２に記録された当該ホテルと関連付いたランドマーク名およびランドマークコードを読み出して、ランドマーク名を所定のテンプレートファイルの所定の位置に挿入するとともに、ランドマーク名をクリックすることによりランドマークコードをファイル名とするファイルを読み出すようにリンクを設けて生成する。これにより、上記詳細情報ページ２９のランドマークリンク４４Ｃをクリックすることにより、当該ランドマークのランドマークコードをファイル名とするファイルであるランドマーク毎検索対象一覧ページ３２Ｃを読み出して端末装置５に表示する。
【０１６２】
以上のように、上記ウェブページ生成手段１６は、絞込ページ群を構成する絞込ページ（地域絞込ページ３１Ａ、駅絞込ページ３１Ｂ，ランドマーク絞込ページ３１Ｃ）に対応する各ファイルを、絞込条件コード（地域コード、駅コード、ランドマークコード）をデータベースから読み出して、一覧表示する各絞込条件（地域名、駅名、ランドマーク名）が当該絞込条件の絞込条件コード（地域コード、駅コード、ランドマークコード）をファイル名とするファイルにリンクするよう生成する。
【０１６３】
また、上記ウェブページ生成手段１６は、上記検索対象一覧ページ群を構成する各検索対象一覧ページ（地域毎検索対象一覧ページ３２Ａ、駅毎検索対象一覧ページ３２Ｂ、ランドマーク毎検索対象一覧ページ３２Ｃ）に対応するファイルを、絞込条件コード（地域コード、駅コード、ランドマークコード）および検索対象コード（ホテルコード）をデータベースから読み出して、上記絞込ページ（地域絞込ページ３１Ａ、駅絞込ページ３１Ｂ，ランドマーク絞込ページ３１Ｃ）に一覧表示された絞込条件（地域名、駅名、ランドマーク名）のうちリンクする絞込条件（地域名、駅名、ランドマーク名）に対応する絞込条件コード（地域コード、駅コード、ランドマークコード）をファイル名とするとともに、一覧表示する検索対象が当該検索対象の検索対象コード（ホテルコード）をファイル名とするファイルにリンクするよう生成する。
【０１６４】
また、上記ウェブページ生成手段１６は、上記詳細情報ページ群を構成する詳細情報ページ２９に対応するファイルを、検索対象コード（ホテルコード）をデータベースから読み出して、上記検索対象一覧ページ（地域毎検索対象一覧ページ３２Ａ、駅毎検索対象一覧ページ３２Ｂ、ランドマーク毎検索対象一覧ページ３２Ｃ）に表示された検索対象のうちリンクする検索対象に対応する検索対象コード（ホテルコード）をファイル名とするよう生成する。
【０１６５】
さらに、上記ウェブページ生成手段１６は、上記詳細情報ページ群を構成する詳細情報ページ２９に対応するファイルを、絞込条件コード（地域コード、駅コード、ランドマークコード）をデータベースから読み出して、上記複数系列の絞込ファイル群における各検索対象一覧ページ（地域毎検索対象一覧ページ３２Ａ、駅毎検索対象一覧ページ３２Ｂ、ランドマーク毎検索対象一覧ページ３２Ｃ）を表示させるための絞込条件コード（地域コード、駅コード、ランドマークコード）をファイル名とするファイルへのリンク（地域リンク４４Ａ、駅リンク４４Ｂ、ランドマークリンク４４Ｃ）を設けるよう生成する。
【０１６６】
図１６は、１系列の絞込ファイル群と詳細情報ページ群の第２例を示す図である。
【０１６７】
この例は、上記絞込ページ群は、上位絞込条件（地域）が一覧表示された上位絞込ページ３３が複数集合してなる上位絞込ページ群と、上記上位絞込ページ３３に一覧表示された上位絞込条件（地域）にリンクして、上記上位絞込条件（地域）に対する選択入力に基づいて端末装置５に表示され、上記選択入力された上位絞込条件（地域）に対する下位絞込条件（駅）が一覧表示された下位絞込ページ３４が複数集合してなる下位絞込ページ群とを少なくとも含んで複数段階の絞込みを行い得るように構成され、上記検索対象一覧ページ３２は、最も下位の下位絞込ページ３４に対してリンクしている。
【０１６８】
上記上位絞込ページ３３は、基本的に上述した地域絞込ページ３１Ａと同様であるが、この例では、絞込結果表示部である地域表示部３７Ａに一覧表示された絞込結果（地域）が二次絞込条件であり、上記二次絞込条件である地域に対する選択入力に基づいて、上記二次絞込条件（地域）によって絞り込まれた二次絞込結果である駅が一覧表示された二次絞込結果表示ページ（下位絞込ページ）３４が端末装置５に表示されるように構成されている。
【０１６９】
図示した例は、下位絞込ページ３４は１段階であるが、下位絞込ページを複数段階に設けて多段階の絞込みを行うようにしてもよい。
【０１７０】
それ以外は、第１例と同様であり、同様の作用効果を奏する。
【０１７１】
図１７は、１系列の絞込ファイル群と詳細情報ページ群の第３例を示す図である。
【０１７２】
この例は、絞込ページ（単位ページ）３１に、地方表示部（上位絞込条件表示部）３８、都道府県表示部（第１の下位絞込条件表示部）３９、地域表示部（第２の下位絞込条件表示部）４０、駅表示部（絞込結果表示部）４１が表示され、絞込ページ（単位ページ）３１で３段階の絞込みを行い得るようになっている。
【０１７３】
すなわち、上記絞込ページ（単位ページ）３１は、上記複数の絞込条件表示部は並べて配置され、上位の絞込条件が表示された上位絞込条件表示部（地方表示部）３８から、順次相対的に下位の絞込条件が表示された複数段階の下位絞込条件表示部（都道府県表示部３９、地域表示部４０）が複数並べて配置され、引き続き絞込結果表示部（駅表示部４１）が並べて配置されている。
【０１７４】
また、絞込ページ（単位ページ）３１に対応する各ファイルは、上位絞込条件それぞれに割り当てられた上位絞込条件コードに対して、複数段階の下位絞込条件それぞれに割り当てられた下位絞込条件コードを組み合わせた組合せコードをファイル名として格納されている。
【０１７５】
さらに、各絞込条件表示部に一覧表示された絞込条件に対する選択入力によって、上位絞込条件コードと複数の下位絞込条件コードを組み合わせた組合せコードが指定され、当該指定された組合せコードをファイル名とするファイルが選択されて絞込ページ（単位ページ）３１が端末装置５に表示されるようになっている。
【０１７６】
図示した例は、３段階の絞込みを行うものであるが、絞込条件表示部を４段階以上設けて多段階の絞込みを行うようにしてもよい。
【０１７７】
それ以外は、第１例と同様であり、同様の作用効果を奏する。
【０１７８】
以上の構成により、本発明の情報検索システムのファイル構造によれば、端末装置における上記複数の絞込条件表示部にそれぞれ一覧表示された絞込条件に対する選択入力により、上記絞込結果表示部に上記選択入力で絞り込まれた絞込結果が一覧表示された単位ページが表示される。このように、一覧表示された絞込条件から所望の絞込条件を選択するだけで複数段階の適切な絞込が行われるため、従来のように、ユーザが絞込条件を設定する必要がなくなり、設定した絞込み条件が不適切で絞込みの精度が低下するような問題もない。また、一旦絞込条件を入力して検索を実行したあとに再度検索を行う場合にも、単位ページに複数表示されている絞込条件表示部における絞込条件の選択で異なる条件での絞込を容易に行うことができ、従来のように絞込条件を再入力する手間が省ける。
【０１７９】
また、上記各単位ページは、上記複数の絞込条件表示部は並べて配置され、上位の絞込条件が表示された上位絞込条件表示部から、順次相対的に下位の絞込条件が表示された１段階または複数段階の下位絞込条件表示部が１つまたは複数並べて配置され、引き続き絞込結果表示部が並べて配置されている場合には、
上位絞込条件から下位絞込条件に並べて配置された絞込条件表示部で絞込条件を選択すればよいため、視覚的に絞込みのための条件選択動作が非常に行いやすい。また、下位絞込条件表示部に引き続いて絞込結果表示部が並べて配置されているので、下位絞込条件と絞込み結果との配置が近いことから、視覚的に下位絞込条件の再選択動作が行いやすい。
【０１８０】
また、各単位ページに対応する各ファイルは、上位絞込条件それぞれに割り当てられた上位絞込条件コードに対して、１段階または複数段階の下位絞込条件それぞれに割り当てられた下位絞込条件コードを組み合わせた組合せコードをファイル名として格納され、
各絞込条件表示部に一覧表示された絞込条件に対する選択入力によって、上位絞込条件コードと１つまたは複数の下位絞込条件コードを組み合わせた組合せコードが指定され、当該指定された組合せコードをファイル名とするファイルが選択されて単位ページが端末装置に表示されるようになっている場合には、
上位絞込条件コードと下位絞込条件コードを組み合わせた組合せコードをファイル名とすることから、上位絞込条件および下位絞込条件の選択とファイルの選択とを整合させやすく、リンクを設けたファイルの構築を容易かつ確実に行うことができる。
【０１８１】
また、上記絞込結果表示部に一覧表示された絞込結果が二次絞込条件であり、上記二次絞込条件に対する選択入力に基づいて、上記二次絞込条件によって絞り込まれた二次絞込結果が一覧表示された二次絞込結果表示ページが端末装置に表示されるように構成されている場合には、
単位ページが複数集合した単位ページ群による絞込みに加えて、さらに二次絞込条件による絞込を行いうるので、絞込段階数を多くした精度の高い絞込みが行える。
【０１８２】
また、本発明の情報検索システムのファイル構造の構築方法によれば、上位絞込条件コードおよび下位絞込条件コードをデータベースから読み出し、各単位ページに対応する各ファイルを、上位絞込条件それぞれに割り当てられた上位絞込条件コードに下位絞込条件コードを組み合わせた組合せコードをファイル名として格納することから、上位絞込条件および下位絞込条件の選択とファイルの選択とを整合させやすく、リンクを設けたファイルの構築を容易かつ確実に行うことができる。
【０１８３】
また、本発明の情報検索システムのファイル構造によれば、絞込条件のカテゴリが異なる複数系列の絞込ファイル群で検索対象を絞り込むことから、検索対象の詳細情報ページだけでなく、検索対象に関連する非常に多くの絞込ページや検索対象一覧ページのファイルが存在することになるので、これら多数のファイルがすべてサーチエンジンによる対象となることから、サーチエンジンでのヒット率が大幅に向上し、ＳＥＯ（Search Engine Optimization）上極めて有利になる。
【０１８４】
また、上記詳細情報ページは、上記複数系列の絞込ファイル群における検索対象一覧ページに表示された検索対象にリンクしている場合には、
カテゴリが異なる複数系列の絞込により検索対象を絞り込むことができることから、多用な絞込を提供することができる。
【０１８５】
また、上記詳細情報ページには、上記複数系列の絞込ファイル群における各検索対象一覧ページを表示させるためのリンクが設けられている場合には、
詳細情報表示ぺージと検索対象一覧ページを行ったり来たりしながら、所望の検索対象を探すことができ、従来のように、検索画面まで戻って再度検索をやりなおしたりする必要がなくなり、自由にネットサーフィンを行う感覚で検索対象を探すことができ、ストレスや煩雑をあまり感じない検索を可能とする。
【０１８６】
また、上記絞込ページ群は、
上位絞込条件が一覧表示された上位絞込ページが複数集合してなる上位絞込ページ群と、
上記上位絞込ページに一覧表示された上位絞込条件にリンクして、上記上位絞込条件に対する選択入力に基づいて端末装置に表示され、上記選択入力された上位絞込条件に対する下位絞込条件が一覧表示された下位絞込ページが複数集合してなる下位絞込ページ群とを少なくとも含んで複数段階の絞込みを行い得るように構成され、
上記検索対象一覧ページは、最も下位の下位絞込ページに対してリンクしている場合には、
上位絞込ページ群と下位絞込ページ群による複数段階の絞込みを実現し、精度の高い絞込みが行える。
【０１８７】
また、本発明の情報検索システムのファイル構造の構築方法によれば、ファイル名を絞込条件コードとすることにより、リンク先ファイルに対するリンクを行うため、絞込ページ群における絞込ページ、検索対象一覧ページ、詳細情報ページのリンクを整合させやすく、リンクを設けたファイルの構築を容易かつ確実に行うことができる。
【０１８８】
また、上記絞込ファイル群は、絞込条件のカテゴリが異なる複数系列を備えており、
上記詳細情報ページには、上記複数系列の絞込ファイル群における各検索対象一覧ページを表示させるためのリンクが設けられ、
上記ウェブページ生成部は、
上記詳細情報ページ群を構成する詳細情報ページに対応するファイルを、絞込条件コードをデータベースから読み出して、上記複数系列の絞込ファイル群における各検索対象一覧ページを表示させるための絞込条件コードをファイル名とするファイルへのリンクを設けて生成する場合には、
詳細情報表示ぺージと検索対象一覧ページを行ったり来たりしながら、所望の検索対象を探すことができ、従来のように、検索画面まで戻って再度検索をやりなおしたりする必要がなくなり、自由にネットサーフィンを行う感覚で検索対象を探すことができ、ストレスや煩雑をあまり感じない検索を可能とする。また、リンクを整合させやすく、リンクを設けたファイルの構築を容易かつ確実に行うことができる。
【０１８９】
各ホテルごとに複数の駅を関連付けた第１中間テーブルにより、ホテルと駅とを関連付け、各駅ごとに複数のランドマークを関連付けた第２中間テーブルにより駅とランドマークとを関連付け、上記第１中間テーブル１３および第２中間テーブル１４を介してホテルとランドマークとを関連付けることにより、上記ランドマークからホテルをデータベース検索により抽出する。
このため、ランドマークを増やして検索精度を向上させる場合でも、ランドマークマスタ１２と第２中間テーブル１４のデータを増やすだけで、増やしたランドマークとホテルとを関連付けることができる。したがって、従来のように、膨大な作業を行わなくても、ごく軽微な作業だけで個別抽出条件であるランドマークを増やし、検索精度を向上させた検索を行うことができる。
【０１９０】
また、上記ランドマークからホテルをウェブ上でウェブ検索するためのウェブページが格納されるウェブページ格納部１８を有し、上記ウェブページは、上記ランドマークを表示する表示画面と、ホテルを表示する表示画面とを含み、表示画面に表示されたランドマークに対する選択入力操作により、当該ランドマークと関連付いたホテルに係る表示画面が表示されるようリンクが形成され、上記リンクにおけるランドマークとホテルとは、第１中間テーブル１３および第２中間テーブル１４により、駅を介して関連付けられている場合には、
ランドマークを増やして検索精度を向上させる場合でも、ランドマークマスタ１２と第２中間テーブル１４のデータを増やすだけで、増やしたランドマークとホテルとを関連付けることができる。そして、ウェブ検索において、多くの個別抽出条件であるランドマークをもとにした高精度なウェブ検索を行うことが可能となる。
【０１９１】
また、表示画面を、所定のテンプレートファイルにデータを割り当てることにより自動的に生成するウェブページ生成手段１６を備え、上記ウェブページ生成手段１６は、所定のテンプレートファイルに対して、ホテル詳細マスタ１０、上記駅マスタ１１、ランドマークマスタ１２、第１中間テーブル１３、第２中間テーブル１４を介し、上記データベース検索手段９におけるデータベース検索によって抽出したランドマークとホテルのデータに基づいて表示画面を生成する場合には、
ランドマークマスタ１２と第２中間テーブル１４のデータを増やすだけで、増やしたランドマークとホテルとを関連付けることができるうえ、そのように関連付いた表示画面を自動生成することができる。したがって、従来のように、膨大な作業を行わなくても、ごく軽微な作業だけで個別抽出条件であるランドマークを増やし、検索精度を向上させたウェブ検索を行うことができる。そして、生成されるウェブページのページ数は、ランドマークの増加量に対して二次曲線的に多くなり、多数のウェブページが生成されるため、ウェブ上のサーチエンジンにおいてヒットする確率が極めて高くなり、ユーザ端末からの閲覧機会を大幅に増大させることができる。
【産業上の利用可能性】
【０１９２】
上記の実施の形態では、検索対象をホテルとしたホテル情報検索に適用した例を示したが、これに限定するものではなく、検索対象として、さまざまな対象を使用して各種の情報検索に適用することができる。
【図面の簡単な説明】
【０１９３】
【図１】本発明の情報検索システムを含むネットワーク構成を示す図である。
【図２】ファイル構造の全体構成を示す図である。
【図３】１系列の絞込ファイル群と詳細情報ページ群の一例を示す図である。
【図４】絞込ページ群による絞込の一例を示す図である。
【図５】地方絞込系列における一次絞込ページ、検索対象一覧ページ、詳細情報ページの一例を示す図である。
【図６】駅絞込系列における一次絞込ページ、検索対象一覧ページ、詳細情報ページの第２例を示す図である。
【図７】ランドマーク絞込系列における一次絞込ページ、検索対象一覧ページ、詳細情報ページの第３例を示す図である。
【図８】３系列の絞込ファイル群と詳細情報ページ群における一次絞込ページ、検索対象一覧ページ、詳細情報ページのリンク関係を模式的に示した図である。
【図９】地域系列絞込における一次絞込ページと、それを生成するためのマスタテーブルを示す図である。
【図１０】地域系列絞込における検索対象一覧ページと、それを生成するためのマスタテーブルを示す図である。
【図１１】駅系列絞込における一次絞込ページと、それを生成するためのマスタテーブルを示す図である。
【図１２】駅系列絞込における検索対象一覧ページと、それを生成するためのマスタテーブルを示す図である。
【図１３】ランドマーク系列絞込における一次絞込ページと、それを生成するためのマスタテーブルを示す図である。
【図１４】ランドマーク系列絞込における検索対象一覧ページと、それを生成するためのマスタテーブルを示す図である。
【図１５】詳細情報ページと、それを生成するためのマスタテーブルを示す図である。
【図１６】１系列の絞込ファイル群と詳細情報ページ群の第２例を示す図である。
【図１７】１系列の絞込ファイル群と詳細情報ページ群の第３例を示す図である。
【符号の説明】
【０１９４】
１      サーバ装置
２      インターネット
３      ウェブサーバ
４      データベースサーバ
５      端末装置
９      データベース検索手段
１０      ホテル詳細マスタ
１１      駅マスタ
１２      ランドマークマスタ
１３      第１中間テーブル
１４      第２中間テーブル
１５      地方マスタ
１６      ウェブページ生成手段
１７      テンプレート格納部
１８      ウェブページ格納部
１９      既設ページ
２０      新設ページ
２１      ランドマーク区分マスタ
２２      駅・路線マスタ
２３      ホテル名称マスタ
２４      地域マスタ
２５      都道府県マスタ
２６      トップページ
２７      メニューページ
２８Ａ    地域系列絞込ファイル群
２８Ｂ    駅系列絞込ファイル群
２８Ｃ    ランドマーク系列絞込ファイル群
２９      詳細情報ページ
３０      予約処理ページ
３１      絞込ページ（単位ページ）
３１Ａ    地域絞込ページ（単位ページ）
３１Ｂ    駅絞込ページ（単位ページ）
３１Ｃ    ランドマーク絞込ページ（単位ページ）
３２Ａ    地域毎検索対象一覧ページ
３２Ｂ    駅毎検索対象一覧ページ
３２Ｃ    ランドマーク毎検索対象一覧ページ
３３      上位絞込ページ
３４      下位絞込ページ（二次絞込結果表示ページ）
３５Ａ    地方表示部（上位絞込条件表示部）
３５Ｂ    都道府県表示部（上位絞込条件表示部）
３５Ｃ    ランドマーク区分表示部（上位絞込条件表示部）
３６Ａ    都道府県表示部（下位絞込条件表示部）
３６Ｂ    駅表示部（下位絞込条件表示部）
３６Ｃ    都道府県表示部（下位絞込条件表示部）
３７Ａ    地域表示部（絞込結果表示部）
３７Ｂ    路線表示部（絞込結果表示部）
３７Ｃ    ランドマーク表示部（絞込結果表示部）
３８      地方表示部（上位絞込条件表示部）
３９      都道府県表示部（第１の下位絞込条件表示部）
４０      地域表示部（第２の下位絞込条件表示部）
４１      駅表示部（絞込結果表示部）
４２      絞込条件表示部
４３      絞込結果（二次絞込条件）
４４Ａ    地域リンク
４４Ｂ    駅リンク
４４Ｃ    ランドマークリンク
【図１】
2007233883.tif 000003
【図２】
2007233883.tif 000004
【図３】
2007233883.tif 000005
【図４】
2007233883.tif 000006
【図５】
2007233883.tif 000007
【図６】
2007233883.tif 000008
【図７】
2007233883.tif 000009
【図８】
2007233883.tif 000010
【図９】
2007233883.tif 000011
【図１０】
2007233883.tif 000012
【図１１】
2007233883.tif 000013
【図１２】
2007233883.tif 000014
【図１３】
2007233883.tif 000015
【図１４】
2007233883.tif 000016
【図１５】
2007233883.tif 000017
【図１６】
2007233883.tif 000018
【図１７】
2007233883.tif 000019